(57)【要約】【課題】  本発明のヌメリ取り排水蓋は、排水機器内のヌメリを防止すること、ヌメリ防止薬剤が長持ちすること、排水機器内に均一に薬剤の溶解液が付着することを課題とする。【解決手段】  内部にヌメリを防止する薬剤（３）を収納し、下方に切り欠き溝（２）を開口した薬剤ケース（１）、排水機器の排水口（９）に取り付けられる蓋本体（４）、蓋本体（４）に設けられた排水を排水する排水部（５）、蓋本体（４）上面に構成され薬剤ケース（１）を取り付けるための取付溝（６）、取付溝（６）内の排水を排水するために取付溝（６）に開口した排出孔（７）、から構成され、前記取付溝（６）と薬剤ケース（１）の間に排水溜まり空間（８）を構成し、排水溜まり空間（８）に流れ込んだ排水は薬剤ケース（１）の切り欠き溝（２）から薬剤ケース（１）内に流入し、更に薬剤ケース（１）内の排水は切り欠き溝（２）を介し排出孔（７）から排出されるヌメリ取り排水蓋。【選択図】  図１
2006028887.tif 000002
【特許請求の範囲】
【請求項１】
その内部にヌメリを防止する薬剤（３）を収納し、下方に切り欠き溝（２）を開口した薬剤ケース（１）と、
排水機器の排水口（９）に取り付けられる蓋本体（４）と、
蓋本体（４）に設けられた、排水を排水する排水部（５）と、
蓋本体（４）上面に構成された、薬剤ケース（１）を取り付けるための取付溝（６）と、
取付溝（６）内の排水を排水するために取付溝（６）に開口した排出孔（７）と、
から構成されたヌメリ取り排水蓋であって、
前記取付溝（６）と薬剤ケース（１）の間に排水溜まり空間（８）を構成し、該排水溜まり空間（８）に流れ込んだ排水は薬剤ケース（１）の切り欠き溝（２）から薬剤ケース（１）内に流入し、更に薬剤ケース（１）内の排水は切り欠き溝（２）を介し排出孔（７）から排出されることを特徴とするヌメリ取り排水蓋。
【請求項２】
前記取付溝（６）と薬剤ケース（１）の取付を、係合による取付としたことを特徴とする前記請求項１に記載のヌメリ取り排水蓋。
【請求項３】
前記取付溝（６）と薬剤ケース（１）の取付を、載置による取付としたことを特徴とする前記請求項１に記載のヌメリ取り排水蓋。
【請求項４】
前記蓋本体（４）を、合成樹脂によって構成したことを特徴とする前記請求項１乃至請求項３のいずれか一つに記載のヌメリ取り排水蓋。
【発明の詳細な説明】
【技術分野】
【０００１】
本発明は、流し台や浴槽などの各種排水機器内に発生するヌメリを防止するために、排水機器の排水口に取り付けられるヌメリ取り排水蓋に関するものである。
【背景技術】
【０００２】
従来より、流し台や浴室の排水機器内は、排水の水垢などが原因でヌメリが発生していた。
そして、各種排水機器内のヌメリを防止するために図８に示したヌメリ取り排水蓋が知られている。
この従来のヌメリ取り排水蓋は、例えば台所の流し台の排水を行う排水機器としての排水トラップの排水口に取り付けられる。また、後記する薬剤ケースと、蓋本体と、から構成される。
薬剤ケースは、リング状であって、その内部に固形薬剤を収納し、上方に開口された排水流入口と、下方に開口された排水流出口から構成される。また、後記する取付部と係合する係合爪を構成する。
蓋本体は、平面視円形状であって、ゴム等の弾性部材から成り、前記排水トラップの排水口に取り付けられるとともに、以下の排水部、取付部、から構成される。
排水部は、蓋本体の中央部にスリット状の切り込みが構成され、シンク上方から排水口内が外観出来ないように構成される。また、シンク内の排水が排水部を介して排水口側へ流れ込むように構成される。
取付部は、蓋本体下面に構成された開口であって、前記薬剤ケースの係合爪が該取付部に係合することで、薬剤収納ケースは蓋本体に取り付けられる。
【０００３】
この従来のヌメリ取り排水蓋は以下のように取り付け・セットされる。
薬剤ケースの係合爪を、下側から蓋本体の取付部に係合させる。このとき、蓋本体は弾性を備えるゴム部材等で構成されていることから、一旦蓋本体部をたわませることで薬剤ケースの係合爪を取付部に係合させることが出来る。
また、蓋本体と薬剤ケースを取り付けたヌメリ取り排水蓋を排水トラップの排水口に取り付ける。
【０００４】
この従来のヌメリ取り排水蓋は、以下のような排水の流れとなる。
シンク内の排水が、排水機器の排水口へ流入し、そして、排水の多くが排水口に取り付けられたヌメリ取り排水蓋の排水部から排水口内部へと排水される。また、排水口に流入した一部の排水は、薬剤ケースの排水流入孔のスリットから薬剤ケース内へ流入し、薬剤ケース内の薬剤を熔解しつつ、排水流出孔から排水口側へ排出される。
【０００５】
【特許文献１】特開２００１−３１７１０１
【発明の開示】
【発明が解決しようとする課題】
【０００６】
前記した従来のヌメリ取り排水蓋では以下の課題があった。
従来の薬剤ケースと蓋本体の係合は、蓋本体と薬剤ケースの取り付けを、蓋本体に対して下側に取り付けていることから、ヌメリ取り排水蓋に衝撃が加わったときなどに薬剤ケースが下方に落下してしまっていた。
また、排水蓋と薬剤ケースの取付を、弾性のゴム部材をたわませつつ係合爪と取付部を係合させているため、取り付ける際にいちいち蓋本体をたわませなければならず、非常に取り付けにくかった。
また、シンク内の排水が少量排水口に流入する際、排水の表面張力により均一に排水口へ流れ込まないことがある。このとき、薬剤ケース内に流入する排水も均一ではなく、一部分の薬剤しか溶解しないこととなる。そうすると、薬剤の減りが早い箇所と遅い箇所が発生し、更には排水口内へ流入するヌメリ取りが溶解した排水は均一に排水口及び排水機器内に流入せず、ヌメリ取りの効果が完全に発揮されなかった。
また、薬剤ケースの排水流入孔は薬剤ケースの上方に構成され、排水流出孔は薬剤ケースの下方に構成されていることから、薬剤ケース内の排水は上方から下方へと流下する形となる。一旦薬剤ケース内に排水が流入すると、薬剤ケース内の薬剤は上方向から下方向まで排水で晒されることとなる。よって、上下方向に対しては全ての薬剤が排水に晒されるため、薬剤の減りが早かった。
【課題を解決するための手段】
【０００７】
本発明のヌメリ取り排水蓋は、その内部にヌメリを防止する薬剤（３）を収納し、下方に切り欠き溝（２）を開口した薬剤ケース（１）と、排水機器の排水口（９）に取り付けられる蓋本体（４）と、蓋本体（４）に設けられた、排水を排水する排水部（５）と、蓋本体（４）上面に構成された、薬剤ケース（１）を取り付けるための取付溝（６）と、取付溝（６）内の排水を排水するために取付溝（６）に開口した排出孔（７）と、から構成されたヌメリ取り排水蓋であって、前記取付溝（６）と薬剤ケース（１）の間に排水溜まり空間（８）を構成し、該排水溜まり空間（８）に流れ込んだ排水は薬剤ケース（１）の切り欠き溝（２）から薬剤ケース（１）内に流入し、更に薬剤ケース（１）内の排水は切り欠き溝（２）を介し排出孔（７）から排出されることを特徴とするヌメリ取り排水蓋である。
【０００８】
本発明のヌメリ取り排水蓋は、前記取付溝（６）と薬剤ケース（１）の取付を、係合による取付としたことを特徴とする前記段落０００７に記載のヌメリ取り排水蓋である。
【０００９】
本発明のヌメリ取り排水蓋は、前記取付溝（６）と薬剤ケース（１）の取付を、載置による取付としたことを特徴とする前記段落０００７に記載のヌメリ取り排水蓋である。
【００１０】
本発明のヌメリ取り排水蓋は、前記蓋本体（４）を、合成樹脂によって構成したことを特徴とする前記段落０００７乃至０００９のいずれか一つに記載のヌメリ取り排水蓋である。
【発明の効果】
【００１１】
本発明のヌメリ取り排水蓋は以下の効果を奏する。
１．本発明のヌメリ取り排水蓋は、薬剤ケース（１）と蓋本体（４）の取付を、蓋本体（４）に対して上側から取り付けていることから、薬剤ケース（１）が下方に落下してしまうことがない。
２．本発明のヌメリ取り排水蓋は、蓋本体（４）と薬剤ケース（１）の取付を、蓋本体（４）の取付溝（６）に載置させるだけで取り付けることが出来るため、蓋本体（４）をたわませたりすることなく、非常に簡単に取り付けることが出来る。
３．本発明のヌメリ取り排水蓋は、蓋本体（４）と薬剤ケース（１）の取付を、蓋本体（４）の取付溝（６）に載置させるだけで取り付けることが出来るため、蓋本体（４）をたわませたりする必要が無くなり、蓋本体（４）の材質を例えば合成樹脂などの硬質の材質で構成することが出来る。
４．本発明のヌメリ取り排水蓋は、また、排水が均一に排水口へ流れ込まないことがあっても、取付溝（６）の排水溜まり空間（８）に一旦貯留し薬剤ケース（１）内に流入することから、排水口（９）内へ流入するヌメリ取りが溶解した排水は均一に排水口（９）及び排水機器内に流入することができる。
５．本発明のヌメリ取り排水蓋は、薬剤ケース（１）の切り欠き溝（２）を薬剤ケース（１）の下方に構成していることから、薬剤ケース（１）内の排水は下方へとにしか浸透しないこととなり、薬剤ケース（１）内の薬剤（３）は切り欠き溝の（２）高さ以上排水が流入しないので、排水で常に晒されることなく薬剤（３）の持ちが良くなる。
【発明を実施するための最良の形態】
【００１２】
本発明のヌメリ取り排水装置の実施例を以下に記載する。
本実施例のヌメリ取り排水蓋は、図１乃至図７に示したように、台所の流し台の排水を行う排水機器としての排水トラップの排水口（９）に取り付けられる。また、後記する薬剤ケース（１）と、蓋本体（４）と、から構成される。
薬剤ケース（１）は、リング状であって、内部に固形薬剤（３）を収納し、その中間よりも下方の側面と底面にかけて切り欠き溝（２）が構成される。薬剤ケース（１）をリング状としたことで、排水口（９）へと流下する排水を、広い面積で流入させることができる。
蓋本体（４）は、平面視円形状であって、硬質の合成樹脂で形成され、前記排水口（９）に脱着自在に取り付けられ、下記の排水部（５）と、取付溝（６）と、排出孔（７）と、排水溜まり空間（８）から構成される。
排水部（５）は、シンク内の排水を排水口（９）側へ排水するための開口であって、シンク上方から排水口（９）内部が外観視できないように構成する。
取付溝（６）は、蓋本体（４）上面の外周に凹溝状に形成されて、その内部に前記薬剤ケース（１）が載置される。
排出孔（７）は、取付溝（６）の底面の片側に開口され、取付溝（６）内に流入した排水を排水口（９）側へ排出させるための開口である。
排水溜まり空間（８）は、前記取付溝（６）内に薬剤ケース（１）を載置した際に構成される、取付溝（６）と薬剤ケース（１）の隙間のことを指す。
【００１３】
本実施例のヌメリ取り排水蓋は、以下のように取り付け・セットされる。
薬剤ケース（１）を、蓋本体（４）の上面に構成された取付溝（６）に上側から載置する。このとき、蓋本体（４）をたわませたりすることなく両者を取り付けることが出来、蓋本体（４）を硬質の合成樹脂で構成することができる。
また、このとき薬剤ケース（１）が蓋本体（４）の上面に取り付けられるため、蓋本体（４）から薬剤ケース（１）が落下することがない。
また、蓋本体（４）と薬剤ケース（１）を取り付けたヌメリ取り排水蓋を排水トラップの排水口（９）に取り付ける。
【００１４】
本実施例のヌメリ取り排水蓋は、以下のような排水の流れとなる。
図６に示したようにシンク内の排水が、排水機器の排水口（９）へ流入し、そして、排水が一旦排水溜まり空間（８）内に収容され、排水溜まり空間（８）が満水となる。そして、排水溜まり空間（８）内の排水はそのまま薬剤ケース（１）の切り欠き溝（２）から薬剤ケース（１）内に流入し、内部の薬剤（３）を浸透して再度切り欠き溝（２）から排出される。また、薬剤ケース（１）内の排水は、切り欠き溝（２）が薬剤ケース（１）の下方しか開口されずに上方は密封されていることから、薬剤ケース（１）内には空気の逃げ場がなくなり、切り欠き溝（２）より上方に空気溜まり空間（８）が構成され、薬剤ケース（１）内の排水は切り欠き溝（２）より上方に上昇しない。よって、薬剤ケース（１）内の薬剤（３）は、切り欠き溝（２）より上方が排水に晒されないため、薬剤（３）の減りが遅い。また、図６中ＷＬの表記は水面を表す。
そして、一部の排水は取付溝（６）の排出孔（７）から排水機器の排水口（９）へ排出される。そして、薬剤（３）に浸透したものの、排出孔（７）から排水されなかった残りの排水は、排水溜まり空間（８）からオーバーフローして蓋本体（４）の排水部（５）から排水口（９）側へ排出される。
このとき、シンク内の排水は全て取付溝（６）内に流入し、一旦薬剤（３）に浸透された排水が排水部（５）及び排出孔（７）から排水口（９）へ排水される。従って、排水口（９）内部には、薬剤（３）が程良い濃度で熔解した排水が流下することとなる。また、取付溝（６）内に排水が全て流入し、一旦排水溜まり空間（８）内に排水が貯留するため、薬剤（３）がムラ無く満遍なく溶解することができる。
【００１５】
また、本発明のヌメリ取り排水装置は、前記実施例に限定されることはなく、発明の要旨を変更しない範囲での変更は可能である。
例えば、前記実施例では薬剤ケース（１）の切り欠き溝（２）を下方の側面及び底面に構成するが、例えば図示しないが側面のみに開口／底面のみ開口であっても良い。
また、前記実施例では、薬剤ケース（１）と蓋本体（４）の取り付けを載置により取り付けているが、例えば図示しないが、係合手段によって構成されてもよい。
また、前記実施例では蓋本体（４）を合成樹脂としているが、弾性を備えた例えばゴム部材などで構成しても構わない。
【図面の簡単な説明】
【００１６】
【図１】本発明のヌメリ取り排水蓋を示す斜視図である。
【図２】本発明のヌメリ取り排水蓋を示す一部切り欠き斜視図である。
【図３】本発明のヌメリ取り排水蓋を示す断面図である。
【図４】本発明のヌメリ取り排水蓋を示す平面図である。
【図５】本発明のヌメリ取り排水蓋を示す底面図である。
【図６】本発明のヌメリ取り排水蓋の排水の流れを示す一部簡略断面図である。
【図７】本発明のヌメリ取り排水蓋を流し台の排水機器の排水口に取り付けた際の一部断面斜視図である。
【図８】従来のヌメリ取り排水蓋を示す斜視図及び一部切り欠き断面図である。
【符号の説明】
【００１７】
１  薬剤ケース
２  切り欠き溝
３  薬剤
４  蓋本体
５  排水部
６  取付溝
７  排出孔
８  排水溜まり空間
９  排水口
【図１】
2006028887.tif 000003
【図２】
2006028887.tif 000004
【図３】
2006028887.tif 000005
【図４】
2006028887.tif 000006
【図５】
2006028887.tif 000007
【図６】
2006028887.tif 000008
【図７】
2006028887.tif 000009
【図８】
2006028887.tif 000010